(57)【要約】【課題】特にランダム再生時に、わかり易い楽曲の項目表示を行うことができる「楽曲項目表示装置」とする。【解決手段】再生方式検出部では、少なくともランダム再生を行っているか他の再生を行っているかを検出し、再生曲項目強調表示部では前記検出した再生方式に応じて、再生している曲の特定の項目内容を強調する。また、現在再生している曲が直前に再生していた曲と項目が異なることを検出したときには、その異なった項目を強調表示する。また、現在ランダム再生を行っていることを検出したとき、最初の曲についてはアーティスト名を強調表示し、また再生曲項目変更検出部でアーティストが変更したことを検出したときには、変更したアーティスト名を強調表示する。また、ランダム再生を行っているときアーティストが変更しないことを検出したときには曲名を強調表示する。【選択図】図１
2010170619.tif 000002
【特許請求の範囲】
【請求項１】
少なくともランダム再生を行っているか他の再生を行っているかを検出する再生方式検出部と、
再生している曲の特定の項目の内容を強調して表示する再生曲項目強調表示部とを備え、
前記再生曲項目強調表示部では、前記再生方式検出部で検出した現在再生している再生方式によって、強調表示する項目を変更することを特徴とする楽曲再生表示装置。
【請求項２】
現在再生している曲が直前に再生していた曲と項目の内容が異なることを検出する再生曲項目変更検出部を備え、
前記再生曲項目変更検出部で現在再生している曲が直前に再生していた曲の項目の内容と異なることを検出したとき、前記再生曲項目強調表示部では、当該異なった項目の内容を強調表示することを特徴とする請求項1記載の楽曲再生表示装置。
【請求項３】
前記再生方式検出部で現在ランダム再生を行っていることを検出したとき、前記再生曲項目強調表示部では、最初の曲についてアーティスト名を強調表示することを特徴とする請求項1記載の楽曲再生表示装置。
【請求項４】
前記再生方式検出部で現在ランダム再生を行っていることを検出し、前記再生曲項目変更検出部でアーティストが変更したことを検出したときには、前記再生曲項目強調表示部では当該変更したアーティスト名を強調表示することを特徴とする請求項２記載の楽曲再生表示装置。  
【請求項５】
前記再生方式検出部で現在ランダム再生を行っていることを検出し、前記再生曲項目変更検出部でアーティストが変更しないことを検出したときには、前記再生曲項目強調表示部では曲名を強調表示することを特徴とする請求項２記載の楽曲再生表示装置。
【請求項６】
前記再生方式検出部で現在ランダム再生を行っていることを検出し、前記再生曲項目変更検出部でアーティストが変更しないことを検出したときにおいて、前記再生曲項目変更検出部でアルバム名が変更したことを検出したときには、前記再生曲項目強調表示部ではアルバム名を強調表示することを特徴とすることを特徴とする請求項2記載の楽曲再生表示装置。
【請求項７】
前記再生方式検出部で現在ランダム再生以外の再生方式で再生していることを検出したとき、前記再生曲項目強調表示部では曲名を強調表示することを特徴とする請求項1記載の楽曲再生表示装置。
【請求項８】
再生している曲の特定の項目を消極的に表示する再生曲項目消極表示部を備え、
前記再生曲項目強調表示部で強調表示している以外の項目の少なくとも一つの項目の内容を消極表示することを特徴とする請求項１記載の楽曲再生表示装置。
【発明の詳細な説明】
【技術分野】
【０００１】
本発明はオーディオ装置において、再生している楽曲を表示する楽曲再生表示装置に関し、特に楽曲を連続再生するとき、アーティスト名やアルバム名或いは曲名等の項目が変更したときに、変更した項目をわかりやすく表示する楽曲再生表示装置に関する。
【背景技術】
【０００２】
近年のオーディオ装置においては大容量メモリ、或いは大容量で小型のハードディスク等のデータ記録媒体の普及により、数千曲、或いは数万曲の楽曲をそれらの記録媒体に記録し、これを持ち歩いて聴くことができるようになっており、またカーオーディオ装置においても同様にそのような機能を備えたものが普及すると共に、車内に持ち込んだ前記のような大容量記録媒体に多数の楽曲を記録した携帯型オーディオプレーヤを接続し、その楽曲を任意に選択して聴くことができるようにもなっている。
【０００３】
また、各種オーディオ装置において多くのものは、現在再生している曲がどのような曲であるのかを表示する機能を備え、現在再生している曲のアーティスト名、その曲が収録されていたアルバム名、曲名等を表示することができるようになっている。そのためこのオーディオ装置の利用者は、現在聴いている曲がどのような曲であるのかを、その表示を見ることにより知ることができる。
【０００４】
なお、記録媒体に記録されたタイトルが表示された状態で、任意のタイトルの表示を強調することができる強調表示手段を持ち、記録媒体に記録されたタイトルを任意の順序で表示できる機能を有する記録媒体再生装置は特開２００４−３６２６３２号公報(特許文献１)に開示されている。
【先行技術文献】
【特許文献】
【０００５】
【特許文献１】特開２００４−３６２６３２号公報
【発明の概要】
【発明が解決しようとする課題】
【０００６】
前記のように、小型で大容量の記録媒体に多数の楽曲を記録し、これを再生して聴くときは、各利用者の趣味により、またそのときの気分によって、聴きたい曲を例えばアーティストで絞り込んだプレイリストを作成し、必要に応じてその順序も設定して順に再生する、プレイリストによる再生が行われる。また、特定のアルバムを選択し、そのアルバムの曲を順に再生することもある。
【０００７】
更に特定のジャンルを選択し、その中の曲をランダムで聴くこともあり、また収録されている曲の全てについてランダムで聴くことも行われる。このようなランダム再生はシャッフル再生とも呼ばれ、例えば車載オーディオ装置のように、或いはフィジカルトレーニングを行いながら比較的長時間連続してバックグラウンドミュージックとして聴くとには有効である。
【０００８】
このようなランダム再生を行うとき、現在聴いている曲がどのような曲であるかを知りたいケースとしては、先に聴いていた曲とアーティストが変わったときのように、大きく雰囲気が変わったときに、このアーティストは誰であるか、という疑問が生じてアーティスト名を知りたいと思うことが多い。そのほか、同じアーティストの楽曲であっても、また同じアルバムに収録されているような楽曲であっても、この楽曲の曲名は何であったか、と疑問に思うことも常にあり、それを楽曲の表示部を見て知りたくなることも覆い。
【０００９】
その際に従来のオーディオ装置における楽曲表示部分では、例えば図４に示すように、現在再生している曲について曲名が「アメリカ合衆国国歌−星条旗よ永遠なれ」であり、アーティストは「ＪＴ．スメス」であり、この曲が収録されているアルバムは「ＪＴ．スメス集２」であることを示し、利用者はこの曲を歌っているのは誰かを知りたいとき、この表示を見て「ＪＴ．スメス」が歌っていることを知ることができる。
【００１０】
しかしながら、ここに表示されている、例えばアーティスト名、アルバム名、曲名等の項目に表示される表示態様は同一であり、同じ字の大きさで同じ書体であることが多い。また、このオーディオ装置の製作者が、一般的に利用者は曲名を知りたいことが多い、と考えたとき、曲名だけは少し大きめに表示するように設定することもある。但し、このような表示の態様は常に変わることが無く、予め設定した状態のままである。
【００１１】
それに対して、例えばランダム再生の時、極めて多数の曲の中から再生する曲がランダムに変わる場合、アーティストも変わることが多いので、利用者はこの曲は誰が歌っているのだろう、という疑問を抱くことが多い。それに対して、このようなランダム再生であっても、例えば特定のアーティストの曲からランダムに再生するような場合、或いは収録楽曲全体のランダム再生中に偶然先の曲と同じアーティストである場合もあり、このようにアーティストが変更しない状態で利用者がその曲に対する疑問を生じるのは、多くの場合現在再生している曲の曲名は何であったか、というように曲名を知りたいことが多い。また、この曲はどのようなアルバムに収録されていたのか、という疑問を抱くことも多い。
【００１２】
更に、上記のようなランダム再生ではなく、アルバムに収録されている曲を順に再生するとき、或いは利用者がこれから聴こうとする曲の順序を設定するためのプレイリストを作成して聴いているときのような場合には、アーティストがわかっている場合が多く、このような場合利用者が知りたいと思うのは、この曲は何という名前の曲であったか、という疑問を生じることが多い。
【００１３】
前記のように、オーディオ装置で多数の曲を再生するとき、利用者が現在再生している曲のアーティスト名、アルバム名、楽曲名のいずれを知りたいと思うかは、例えばランダム再生時と、プレイリストによる再生を含む通常の再生時とでは異なることが多い。それに対して従来のオーディオ装置では、前記のように原則として常に同じ態様でほぼ均等に表示しており、必ずしも利用者にとって見やすい表示とはなっていなかった。
【００１４】
したがって本発明は、再生している曲のアーティスト名、アルバム名、曲名等の楽曲の項目を表示するに際して、例えばランダム再生か通常の再生かによって表示態様を変更させ、利用者が知りたいと思う項目について強調して表示し、それ以外の項目は消極的に表示することができるような楽曲再生表示装置を提供することを主たる目的とする。
【課題を解決するための手段】
【００１５】
本発明に係る楽曲再生表示装置は、上記課題を解決するため、少なくともランダム再生を行っているか他の再生を行っているかを検出する再生方式検出部と、再生している曲の特定の項目の内容を強調して表示する再生曲項目強調表示部とを備え、前記再生曲項目強調表示部では、前記再生方式検出部で検出した現在再生している再生方式によって、強調表示する項目を変更することを特徴とする。
【００１６】
本発明に係る他の楽曲再生表示装置は、前記楽曲再生表示装置において、現在再生している曲が直前に再生していた曲と項目の内容が異なることを検出する再生曲項目変更検出部を備え、前記再生曲項目変更検出部で現在再生している曲が直前に再生していた曲の項目と異なることを検出したとき、前記再生曲項目強調表示部では、当該異なった項目を強調表示することを特徴とする。
【００１７】
本発明に係る他の楽曲再生表示装置は、前記楽曲再生表示装置において、前記再生方式検出部で現在ランダム再生を行っていることを検出したとき、前記再生曲項目強調表示部では、最初の曲についてアーティスト名を強調表示することを特徴とする。
【００１８】
本発明に係る他の楽曲再生表示装置は、前記楽曲再生表示装置において、前記再生方式検出部で現在ランダム再生を行っていることを検出し、前記再生曲項目変更検出部でアーティストが変更したことを検出したときには、前記再生曲項目強調表示部では当該変更したアーティスト名を強調表示することを特徴とする。  
【００１９】
本発明に係る他の楽曲再生表示装置は、前記楽曲再生表示装置において、前記再生方式検出部で現在ランダム再生を行っていることを検出し、前記再生曲項目変更検出部でアーティストが変更しないことを検出したときには、前記再生曲項目強調表示部では曲名を強調表示することを特徴とする。
【００２０】
本発明に係る他の楽曲再生表示装置は、前記楽曲再生表示装置において、前記再生方式検出部で現在ランダム再生を行っていることを検出し、前記再生曲項目変更検出部でアーティストが変更しないことを検出したときにおいて、前記再生曲項目変更検出部でアルバム名が変更したことを検出したときには、前記再生曲項目強調表示部ではアルバム名を強調表示することを特徴とすることを特徴とする。
【００２１】
本発明に係る他の楽曲再生表示装置は、前記楽曲再生表示装置において、前記再生方式検出部で現在ランダム再生以外の再生方式で再生していることを検出したとき、前記再生曲項目強調表示部では曲名を強調表示することを特徴とする。
【００２２】
本発明に係る他の楽曲再生表示装置は、前記楽曲再生表示装置において、再生している曲の特定の項目を消極的に表示する再生曲項目消極表示部を備え、前記再生曲項目強調表示部で強調表示している以外の項目の少なくとも一つの項目の内容を消極表示することを特徴とする。
【発明の効果】
【００２３】
本発明は上記のように構成したので、再生している曲のアーティスト名、アルバム名、曲名等の楽曲の項目を表示するに際して、例えばランダム再生か通常の再生かによって表示態様を変更させることができ、利用者が本当に知りたいと思う項目について重点的に強調して表示し、見やすい楽曲再生表示装置とすることができる。
【図面の簡単な説明】
【００２４】
【図１】本発明の実施例の機能ブロック図である。
【図２】同実施例の作動フロー図である。
【図３】同実施例の楽曲項目の強調表示例である。
【図４】従来の楽曲項目の表示例である。
【発明を実施するための形態】
【００２５】
本発明は特にランダム再生時にわかり易い楽曲の項目表示を行うという課題を、少なくともランダム再生を行っているか他の再生を行っているかを検出する再生方式検出部と、再生している曲の特定の項目の内容を強調して表示する再生曲項目強調表示部とを備え、前記再生曲項目強調表示部では、前記再生方式検出部で検出した現在再生している再生方式によって、強調表示する項目を変更することにより実現した。
実現した。
【実施例１】
【００２６】
本発明の実施例を図面に沿って説明する。図１は本発明の実施例の機能ブロック図であり、図示の例においては、再生方式検出部１において、現在このオーディオ装置で再生している再生方式はランダム再生(シャップル再生）１０であるか、それ以外の例えばプレイリストによる再生を含めた通常再生１１であるかを判別している。この判別に際しては、オーディオ装置に対する利用者の設定を検出することにより行うことができる。
【００２７】
また、再生曲項目変更検出部２では、現在再生している曲はその前に再生していた曲と何の項目が変更したかを検出するものであり、アーティスト名変更検出部１２、アルバム名変更検出部１３、曲名変更検出部１４を備えた例を示している。
【００２８】
再生曲表示部３においては、現在再生している曲の各種項目について表示する機能を行うものであり、その中の機能として再生曲項目強調表示部４を備え、前記再生方式検出部１で判別した再生方式により、また再生曲項目変更検出部２で検出した楽曲項目が変更した項目の情報によって、強調して表示する項目を後述する図２に示す所定の方式にしたがって変更する。また、この再生曲項目強調表示部４に対して再生曲項目消極表示部５を備え、ここでは前記のように再生曲項目強調表示部４で再生曲の特定の項目を強調して表示した時、それ以外の項目の全体、或いはいずれかの項目の内容を、例えば小さく表示する等のような消極表示を行う。
【００２９】
また、図示の例では再生曲項目強調表示部６に強調項目選択部６を備え、その中にアーティスト名選択部７、アルバム名選択部８、曲名選択部９を備えており、いずれかが選択されることにより、その項目が図示のように、また図３に拡大して示すように強調表示される。この強調表示処理に対応して、再生曲項目消極表示部５では、それ以外の項目を通常の表示よりも小さく表示することができるようにもしているが、その機能は必ずしもなくても良い。。
【００３０】
強調項目選択部６におけるアーティスト名選択部７でアーティスト名を強調して表示するように選択が行われたときには、図３（ａ）に示すように、また図１にも小さく表示しているように、アーティストの項目の内容であるアーティスト名を強調して表示する。したがって図示の例ではその曲を歌っているのは「ＪＴ．スメス」であることを強調して表示し、同時に他の項目は通常より小さく表示し、それによって利用者はその時に最も知りたい項目であると推測されるアーティスト名を容易に知ることができる。
【００３１】
同様にアルバム名選択部８でアルバム名を強調して表示するように選択したときには、図３（ｂ）に示すように、また図１にも小さく表示しているように、アルバム名を強調して表示する。したがって図示の例ではその曲は「ＪＴ．スメス集２」のアルバムに収録されている曲であることを強調して表示し、同時に他の項目は通常より小さく表示し、それによって利用者がその時に最も知りたい項目であると推測されるアルバム名を容易に知ることができる。
【００３２】
更に曲名選択部９で、曲名を強調して表示するように選択したときには、図３（ｃ）に示すように、また図１にも小さく表示しているように、曲名を強調して表示する。したがって図示の例ではその曲は「アメリカ合衆国国歌−星条旗よ永遠なれ」であることを強調して表示し、同時に他の項目は通常より小さく表示し、それによって利用者がその時に最も知りたい項目であると推測される曲名を容易に知ることができる。
【００３３】
前記のような機能ブロックからなる本発明においては、例えば図２に示す作動フローにしたがって順に作動させることにより、再生方式に対応した現在再生している曲の項目内容の強調表示を行うことができる。即ち図２に示す再生曲の強調表示処理においては、最初１番目の曲を再生し（ステップＳ１）、次いで現在再生している再生方式はランカム再生（シャップル再生）であるか否かを判別する（ステップＳ２）。ここでランダム再生であると判別したときには、その曲のアーティスト名を強調表示する（ステップＳ３）。
【００３４】
即ち、ランダム再生の時には多くの場合アーティストも不特定に頻繁に変わるため、利用者は現在再生している曲のアーティストは誰であるかを知りたいと思うことが多い。したがって、ランダム再生の時の一番最初の曲についてはアーティスト名を強調表示するようにしている。それにより前記のように、図３（ａ）に示すようなアーティスト名の強調表示が行われる。
【００３５】
その後再生中の曲は終了したか否かを判別し、終了していないときにはステップＳ１２に進んで現在の表示を継続し、ステップＳ４に戻って前記作動を繰り返す。それによりこの場合、アーティスト名の強調表示が継続する。それに対してステップＳ４で再生中の曲が終了したと判別したときには、再生を終了するか否かを判別し（ステップＳ５）、未だ再生する曲が存在するとき、また利用者が特に再生停止指示を行わないときには次の曲を再生する（ステップＳ６）。但し前記ステップＳ５において、その後の再生継続により再生する曲が無くなったときのように、再生を終了すると判別したときには、ステップＳ１７に進んでこの処理を終了する。
【００３６】
ステップＳ６で次の曲を再生したときには、「次の曲」とされた現在再生している曲は、その前に再生していた曲とアーティストが異なるか否かを判別し（ステップＳ７）、アーティストが異なっているときには、アーティスト名を強調表示する（ステップＳ１１）。即ち、ランダム再生においては、再生している曲が変わったときアーティストが変わる場合が多く、しかも利用者は多くの場合アルバム名や曲名よりも、この曲は誰の曲であったか、を知りたいことが多い。そのため図２に示す例においては、ランダム再生において再生する曲が変わり、アーティストが変わったときには、アーティスト名を強調して表示するようにしている。この作動波図１において、再生方式検出部でランダム再生であることを検出し、再生曲項目変更検出部でアーティスト名が変更したことを検出した時、強調項目選択部６でアーティスト名を強調表示することにより行う。
【００３７】
ステップＳ７で現在再生している曲はその前の曲とアーティストが同じであると判別したときには、現在再生している曲は前の曲とアルバム名が異なるか否かを判別している（ステップＳ８）。即ち、ランダム再生において、現在再生している曲はどのような曲であるかを知りたいとき、その曲を聴いて前の曲とアーティストが同じであると思う時には、利用者が知りたいと思うのは多くの場合それ以外の項目であり、したがって図２の例ではこの場合利用者はアルバム名を知りたがるとしてアルバム名を強調表示した例を示している（ステップＳ１０）。
【００３８】
更に図２に示す例においては、現在再生している曲は前の曲とアルバム名が異ならない、即ち同じアルバムであると判別したときには、曲名を強調表示している（ステップＳ９）。但し、図２の例ではステップＳ７において現在再生している曲はその前の曲とアーティストが同じであると判別したとき、多くの利用者はアルバム名よりも曲名を知りたいと思う、とこのオーディオ装置の製作者が判断したとき、或いはこのオーディオ装置の初期設定機能で、ランダム再生時の強調表示項目設定が存在するときに、ステップＳ８の処理を行わないようにし、直ちに曲名を強調表示するように設定することもできる。
【００３９】
前記ステップＳ１１でアーティスト名を強調表示したとき、及びステップＳ１０でアルバム名を強調表示したとき、並びにステップＳ９で曲名を強調表示した後は、再びステップＳ４に戻って再生中の曲の再生は終了したか否かを判別し、終了していないときには現在の表示を継続し（ステップＳ１２）、終了したときにはステップＳ６に進んで前記作動を繰り返す。
【００４０】
一方、ステップＳ２において再生方式はランダム再生ではないと判別したときは、そのオーディオ装置においてプレイリスト再生を含む通常の再生が行われるときであり、その場合はステップＳ１３において曲名を強調表示する。即ち、一般的に通常再生の場合、特定のアルバムを選択して順に再生する場合は利用者はアーティスト名を知っている場合が多く、また利用者が予め再生する曲を指定しておくプレイリストによる再生でも利用者はアーティストを知っている場合が多い。したがって、このような再生において利用者が知りたいと思うのは多くの場合曲名であり、図２に示す例では通常再生の時には曲名を強調表示している（ステップＳ１３）。
【００４１】
その後再生中の曲は終了したか否かを判別し、終了していないときにはステップＳ１３に戻って曲名の強調表示を継続し、終了したときには前記ステップＳ５と同様に再生を終了するか否かを判別し、再生する曲がなくなった時等には再生を終了する（ステップＳ１７）。また、ステップＳ１５で再生を終了しないと判別したときには、次の曲を再生し（ステップＳ１６）、再びステップＳ１３に戻って曲名の強調表示を行い、以降同様の作動を繰り返す。
【００４２】
なお、通常再生時においては、前記のように常に曲名を強調表示する以外に、例えばプレイリスト再生によって多くのアーティストの曲が再生され、特にアーティストを適宜交代して再生設定するような場合には、ランダム再生と同様の再生とみなして前記ステップＳ３以降の処理を行うようにしても良い。その場合はこのオーディ装置の制御部においてプレイリストのアーティスト名の変更の頻度を演算する等により、いずれの処理を行うか判別するようにしても良い。
【符号の説明】
【００４３】
１  再生方式検出部
２  再生曲項目変更検出部
３  再生曲表示部
４  再生曲項目強調表示部
５  再生曲項目消極表示部
６  強調項目選択部
７  アーティスト名
８  アルバム名
９  曲名
１０  ランダム再生
１１  通常再生
１２  アーティスト名
１３  アルバム名
１４  曲名
【図１】
2010170619.tif 000003
【図２】
2010170619.tif 000004
【図３】
2010170619.tif 000005
【図４】
2010170619.tif 000006